(57)【要約】【課題】排水時における臭気の逆流を抑制できる便器を提供する。【解決手段】便器は、ボウル２０と、排水トラップ（トラップ筒３１）と、送風装置とを具備する。排水トラップはボウル２０の底部に通じる。送風装置は、ボウル２０内の水が排水トラップを介して排出される排水時において、ボウル２０の底部に対して上側から風を送る。【選択図】図２
2018016955.tif 000002
【特許請求の範囲】
【請求項１】
ボウルと、
前記ボウルの底部に通じる排水トラップと、
前記ボウル内の水が前記排水トラップを介して排出される排水時において、前記底部に対して上側から風を送る送風装置とを具備することを特徴とする便器。
【請求項２】
前記排水トラップは、前記底部に形成された排水口に接続されるトラップ筒で構成され、
前記トラップ筒の形状を前記ボウル内に水が溜まる溜水形状と前記ボウル内の水が排出される排水形状とに切り替える切替機構をさらに具備し、
前記切替機構により前記トラップ筒の形状が前記排水形状に切り替えられて前記ボウル内の水が排出されることを特徴とする請求項１に記載の便器。
【請求項３】
便座に着座した利用者の局部を洗浄する局部洗浄装置と、
前記局部を乾燥する乾燥装置と、
風向変更機構とを具備し、
前記乾燥装置は、
乾燥用ファンを備え、
前記風向変更機構は、前記乾燥用ファンにより発生した風の向きを、前記ボウルの上端部の内側に向かう方向と、前記底部に向かう方向とに切り替えることを特徴とする請求項１又は請求項２に記載の便器。
【請求項４】
前記乾燥装置に、前記ボウルの上端部の内側に向かって開口した第１吹出口と、前記底部に向かって開口した第２吹出口とが設けられ、
前記風向変更機構は、
前記第１吹出口を覆う開閉可能なカバーと、
前記カバーを開閉する開閉機構とを有し、
前記カバーが開いた状態において、前記乾燥用ファンで発生した風が前記第１吹出口から前記ボウルの上端部の内側に向かって吹き出され、前記カバーが閉じた状態において、前記乾燥用ファンで発生した風が、前記カバーにより誘導されて前記第２吹出口から前記底部に向けて吹き出されるように構成されることを特徴とする請求項３に記載の便器。
【請求項５】
前記局部洗浄装置は、
ノズル収納部と、
前記ノズル収納部に出入可能に収納される局部洗浄ノズルと、
前記局部洗浄ノズルを、前記ノズル収納部に収納された収納位置から、前記ノズル収納部から突出して前記局部に向かって水を吐出する洗浄位置まで駆動するノズル駆動部とを備え、
前記ノズル駆動部によって駆動される前記局部洗浄ノズルにより、前記カバーが開くように構成されることを特徴とする請求項４に記載の便器。
【請求項６】
前記乾燥装置に、前記乾燥用ファンにより発生した風を吹き出す吹出口が設けられ、
前記風向変更機構は、
前記吹出口を駆動して、前記乾燥用ファンにより発生した風の吹出方向を、前記ボウルの上端部の内側に向かう方向と、前記底部に向かう方向とに切り替える吹出口駆動部を有することを特徴とする請求項３に記載の便器。
【請求項７】
前記ボウル内を脱臭する脱臭装置を具備し、
前記脱臭装置は、
前記底部に向かって開口した吸込口が設けられた脱臭用風路と、
前記ボウル内の空気を前記吸込口から前記脱臭用風路を介して吸い込む脱臭用ファンと、
前記脱臭用ファンによって前記吸込口から吸い込まれた空気の脱臭を行う脱臭部とを備え、
前記乾燥装置は、
吹出口が設けられ、前記乾燥用ファンにより発生した風を前記吹出口に導いて前記吹出口から前記ボウルの上端部の内側に向かって吹き出す乾燥用風路を備え、
前記脱臭用風路の一部と前記乾燥用風路の一部とが接続され、
前記風向変更機構は、前記乾燥用ファンから、前記脱臭用風路と前記乾燥用風路との接続部分に送られた風が流れる方向を、前記吹出口に向かう方向と、前記脱臭用風路を介して前記吸込口に向かう方向とに切り替えることを特徴とする請求項３に記載の便器。
【請求項８】
前記ボウル内を脱臭する脱臭装置を具備し、
前記脱臭装置は、
前記ボウル内の空気を吸い込む脱臭用ファンと、
前記ボウル内から吸い込まれた空気の脱臭を行う脱臭部とを備え、
前記脱臭用ファンが前記ボウル内の空気を吸い込むときとは逆方向に回転することで、前記底部に向かって空気が吹き出されるように構成されることを特徴とする請求項１又は請求項２に記載の便器。
【請求項９】
前記脱臭用ファンは、前記ボウル内の空気を吸い込むときとは逆方向に回転するときにおける風量が、前記ボウル内の空気を吸い込むときにおける風量よりも大きくなるように制御されることを特徴とする請求項８に記載の便器。
【発明の詳細な説明】
【技術分野】
【０００１】
本発明は便器に関し、詳しくは、ボウル内の水を排水トラップを介して排出する便器に関する。
【背景技術】
【０００２】
特許文献１には便器が開示されている。この便器は、ターントラップ機構を備えている。このターントラップ機構は、ボウル部の排出管に一端が連結されたトラップホースを有している。トラップホースの形状は、モーターの駆動により、ボウル部内に水が溜まる溜水形状と、ボウル部内の水が排出される排水形状とに切り替えられる。
【先行技術文献】
【特許文献】
【０００３】
【特許文献１】特開２００８−２５１７２号公報
【発明の概要】
【発明が解決しようとする課題】
【０００４】
上述した便器は、トラップホースの形状が溜水形状であるとき、トラップホースに溜まった水が封水として機能し、この水により、トラップホースよりも下流側の臭気が、ボウル部内に逆流することが抑制される。
【０００５】
しかし、ボウル部内の水が排出されるときには、前記封水の機能が一時的に失われる破封が生じ、トラップホースよりも下流側の臭気がボウル部内に逆流する可能性がある。なお、便器の排水トラップとしては、前述した変形可能なトラップホースの他、例えば変形不能なトラップ筒が利用される場合がある。この場合にも、排水トラップよりも下流側の圧力変化等によって、前記排水時における破封が生じる可能性はある。
【０００６】
本発明は前記事情に鑑みてなされたものであって、排水時における臭気の逆流を抑制できる便器を提供することを目的とする。
【課題を解決するための手段】
【０００７】
前記目的を達成するために本発明に係る一態様の便器は、ボウルと、排水トラップと、送風装置とを具備する。前記排水トラップは、前記ボウルの底部に通じる。前記送風装置は、前記ボウル内の水が前記排水トラップを介して排出される排水時において、前記底部に対して上側から風を送る。
【発明の効果】
【０００８】
本発明に係る便器は、排水時における臭気の逆流を抑制できる。
【図面の簡単な説明】
【０００９】
【図１】図１は、本発明に係る第１実施形態の便器の斜視図である。
【図２】図２は、同上の便器の一部切欠側面図である。
【図３】図３は、同上の便器のブロック図である。
【図４】図４は、同上の便器の便器本体の一部を省略した斜視図である。
【図５】図５は、同上の便器の機能ユニットを示した斜視図である。
【図６】図６は、同上の便器の乾燥装置の縦断面図である。
【図７】図７は、同上の乾燥装置のカバーを開いた状態を示した縦断面図である。
【図８】図８は、同上の便器の機能ユニットとボウルの上端部を下側から見た斜視図である。
【図９】図９は、本発明に係る第２実施形態の便器の機能ユニットの斜視図である。
【図１０】図１０は、同上の機能ユニットの要部側面図である。
【図１１】図１１は、同上の機能ユニットのカバーを開いた状態を示した要部側面図である。
【図１２】図１２は、本発明に係る第３実施形態の便器の乾燥装置の斜視図である。
【図１３】図１３は、同上の乾燥装置の縦断面図である。
【図１４】図１４は、同上の乾燥装置の吹出口を送風姿勢にしたときにおける縦断面図である。
【図１５】図１５は、本発明に係る第４実施形態の乾燥装置と脱臭装置とを示した斜視図である。
【図１６】図１６は、同上の乾燥装置と脱臭装置とを示した水平断面図である。
【図１７】図１７は、同上の乾燥装置と脱臭装置とを示し、風向切替部材を送風姿勢にしたときにおける水平断面図である。
【図１８】図１８は、本発明に係る第５実施形態の便器の機能ユニットを示した斜視図である。
【図１９】図１９は、本発明に係る第６実施形態の便器の機能ユニットを示した斜視図である。
【図２０】図２０は、本発明に係る第７実施形態の便器の機能ユニットを示した斜視図である。
【発明を実施するための形態】
【００１０】
以下に示す各実施形態の便器は、排水時において送風装置を駆動することで、ボウルの底部に上側から風を送り、これにより、ボウル内への臭気の逆流を抑制する。
【００１１】
（第１実施形態）
図１に示す第１実施形態の便器は、トイレルームなどの床に設置される。以下、本実施形態の便器について、便器の設置状態における方向を基準にして説明する。具体的には、便器に着座した利用者が向く方向を前方とし、この利用者から見たときを基準にして左右方向を定義する。
【００１２】
（便器本体）
便器は、腰掛大便器状の便器本体１を具備している。便器本体１は合成樹脂製である。便器本体１は、便器の骨組みとなる金属製のフレーム（図示せず）に取り付けられており、フレームは便器本体１で覆われている。便器本体１はフレームを介して床に設置される。
【００１３】
（便座と便蓋）
便器は、便座１０と便蓋１１とをさらに具備している。便座１０と便蓋１１との各々は、便器本体１の後部に対して左右軸回り方向に回転可能に連結されている。ここで、左右軸回り方向とは、左右方向と平行な回転軸を中心に回転する方向である。便座１０は便器本体１の上面に載せられる。利用者は、このように便器本体１の上に載せた便座１０の上に着座して、便器を利用する。便蓋１１は便器本体１の上面に載せられた便座１０に被せられて、便座１０を覆う。
【００１４】
（ボウル）
便器本体１は、上方に開口した椀状のボウル２０を備えている。ボウル２０は便器本体１において汚物を受ける部分である。図２に示すように、ボウル２０の底部には、後方に向かって突出した筒状の排水口２１が形成されている。ボウル２０内の水は、排水口２１から排出される。
【００１５】
（トラップ装置）
便器は可動式のトラップ装置３をさらに具備している。トラップ装置３は、便器本体１の後部に内蔵されている。トラップ装置３は、トラップケース３０と、排水トラップを構成するトラップ筒３１とを備えている。トラップ筒３１は、トラップケース３０に収納されている。
【００１６】
トラップケース３０はボウル２０の後方に位置している。トラップケース３０には可撓性を有するトラップ筒３１が収納されている。トラップ筒３１の一端部は、トラップケース３０の前壁を貫通して前方に突出し、ボウル２０の排水口２１に接続されている。
【００１７】
トラップ筒３１における排水口２１とは反対側の端部は、ボウル２０の排水口２１からトラップ筒３１に流れ込んだ水を排出する排水出口部３２を構成している。
【００１８】
トラップケース３０は、床に設置された排水接続管１２に接続される。トラップケース３０の内部は、排水接続管１２を介して下水管（図示せず）に通じる。
【００１９】
トラップ装置３は、トラップ筒３１の形状を、図２に実線で示した溜水形状と、図２に二点鎖線で示した排水形状とに切り替える切替機構３３をさらに備えている。
【００２０】
切替機構３３はモーター３４とアーム３５とを有している。アーム３５は、モーター３４に連結されており、モーター３４が駆動されることで、アーム３５の一端部を中心にして左右軸回り方向に回転する。
【００２１】
アーム３５の回転中心とは反対側の端部は、トラップ筒３１の排水出口部３２に連結されている。トラップ筒３１の排水出口部３２は、アーム３５の回転に伴い、アーム３５の回転中心を中心にして上下に回転する。これにより、トラップ筒３１の形状が、図２に実線で示した溜水形状と、図２に二点鎖線で示した排水形状とに切り替えられる。
【００２２】
ボウル２０の洗浄が行われないとき、トラップ筒３１の形状は、前記溜水形状となる。このとき、排水出口部３２は上方に向かって開口し、排水口２１よりも上方に位置する。このため、ボウル２０内の水はボウル２０内に留まる。
【００２３】
便器は、図３に示すように、操作部１４と、制御部１５とをさらに具備している。操作部１４は、例えば便器本体１に設けられた操作器や、便器本体１とは別体のリモートコントローラーによって構成される。
【００２４】
制御部１５は例えば便器本体１に内蔵されたマイクロコンピューターを備え、ＲＯＭ（Ｒｅａｄ  Ｏｎｌｙ  Ｍｅｍｏｒｙ）等の記憶部に記憶された制御プログラムを実行する。
【００２５】
利用者により操作部１４が操作されて、ボウル洗浄指令がなされたとき、制御部１５はモーター３４を駆動し、トラップ筒３１の形状を溜水形状から図２に二点鎖線で示した排水形状に切り替える。これにより、排水出口部３２は下方に向かって開口し、排水口２１よりも下方に位置する。このため、ボウル２０内の水は、トラップ筒３１を介して排水出口部３２から排出される。トラップ筒３１の排水出口部３２から排出された水は、トラップケース３０から排水接続管１２を経て下水管に排出される。
【００２６】
制御部１５は、前記ボウル洗浄指令から所定時間が経過してトラップ筒３１が排水形状に切り替えられた後に、モーター３４を駆動してトラップ筒３１の形状を排水形状から溜水形状に切り替える。
【００２７】
（機能ユニット）
本実施形態の便器は、図４に示す機能ユニット４をさらに具備している。機能ユニット４は、便器本体１に内蔵されており、ボウル２０の後方に位置している。
【００２８】
機能ユニット４は、図５に示す、ベース４０、給水装置５、局部洗浄装置６、乾燥装置７、及び脱臭装置８を備えている。ベース４０は便器の骨組みとなる前記フレームに取り付けられている。給水装置５、局部洗浄装置６、乾燥装置７、及び脱臭装置８は、ベース４０に設置されている。
【００２９】
（給水装置）
機能ユニット４が備える給水装置５は、ボウル２０（図４参照）内に水を供給する。給水装置５は、ボウル２０内に臨んだ給水ノズル５０を有している。給水ノズル５０は、給水ノズル５０に供給された水をボウル２０内に吐出する。
【００３０】
給水ノズル５０からボウル２０内に供給された水は、図４に示すようにボウル２０の後部の側端部に形成された吐水部２２から前方に向かって吐出される。この水は、ボウル２０の内面に沿って旋回しながら流下し、この水によってボウル２０の内面が洗浄される。
【００３１】
給水装置５は、図３に示す開閉弁５１をさらに有している。開閉弁５１は給水ノズル５０への水の供給の有無を切り替える。これにより、給水ノズル５０からボウル２０内への水の吐出の有無が切り替えられる。
【００３２】
制御部１５は、給水装置５によってボウル２０の洗浄を行わないときには、給水ノズル５０から水が吐出されないように、開閉弁５１を閉じた状態とする。
【００３３】
制御部１５は、前述したボウル洗浄指令がなされた際に開閉弁５１を開き、給水ノズル５０からボウル２０内に水を吐出する。なお、この開閉弁５１を開くタイミングは、トラップ筒３１の形状を溜水形状から排水形状に切り替えるにあたってモーター３４の駆動を開始した時点と同時であってもよいし、当該時点よりも前、あるいは後であってもよい。
【００３４】
制御部１５は、上述したように給水ノズル５０からボウル２０内に水が吐出された後において、トラップ筒３１の形状が排水形状から溜水形状に切り替えられた時点から所定時間が経過した時点で開閉弁５１を閉じる。これにより、ボウル２０内には一定量の水が溜まった溜水状態になる。この溜水状態では、図２に示すトラップ筒３１の内部が水で満たされる。この水はトラップ筒３１を塞ぐ封水として機能し、トラップ筒３１の下流側の臭気がトラップ筒３１を経てボウル２０内に逆流することを抑制する。
【００３５】
（局部洗浄装置）
図５に示す機能ユニット４が備える局部洗浄装置６は、便座１０（図１参照）に着座した利用者の局部を洗浄する。局部洗浄装置６は、ノズル収納部６０と、局部洗浄ノズル６１と、ノズル駆動部６２とを有している。
【００３６】
ノズル収納部６０はベース４０に設けられている。ノズル収納部６０は前方に向かって開口している。本実施形態では、図４に示すように、ボウル２０上部の後端部に前後方向に貫通した局部洗浄用孔２３が形成されている。図５に示すノズル収納部６０の前端開口部６５は、局部洗浄用孔２３を介してボウル２０内に臨む。
【００３７】
ノズル収納部６０には、局部洗浄ノズル６１が出入可能に収納される。局部洗浄ノズル６１は、ノズル収納部６０に収納された収納位置と、ノズル収納部６０の前端開口部６５から前方に突出した洗浄位置との間で移動可能である。
【００３８】
ノズル駆動部６２は局部洗浄ノズル６１を駆動する。本実施形態のノズル駆動部６２は、局部洗浄ノズル６１を駆動するモーター６３を有している。局部洗浄ノズル６１の位置は、モーター６３が駆動されることにより、前記収納位置と前記洗浄位置とに切り替えられる。
【００３９】
局部洗浄装置６は、図３に示す開閉弁６４をさらに有している。開閉弁６４は、局部洗浄ノズル６１への水の供給の有無を切り替える。これにより、局部洗浄ノズル６１から水を吐出するか否かが切り替えられる。
【００４０】
利用者によって操作部１４が操作されて局部洗浄指令がなされたとき、制御部１５は、モーター６３を駆動する。これにより、局部洗浄ノズル６１は、収納位置から洗浄位置まで移動し、局部洗浄ノズル６１の前端部は、ボウル２０内に突出する。この後、制御部１５は開閉弁６４を開く。これにより、局部洗浄ノズル６１の前端部から上側に向けて水が吐出される。この水により、便座１０に着座した利用者の局部が洗浄される。
【００４１】
この後、利用者によって操作部１４が操作されて局部洗浄停止指令がなされたとき、制御部１５は開閉弁６４を閉じる。これにより、局部洗浄ノズル６１からの水の吐出が停止される。この後、制御部１５は、モーター６３を駆動して、局部洗浄ノズル６１を洗浄位置から収納位置まで移動させる。
【００４２】
（乾燥装置）
図５に示す機能ユニット４が備える乾燥装置７は、便座１０（図１参照）に着座した利用者の局部を乾燥する。乾燥装置７はベース４０に設置されている。
【００４３】
乾燥装置７は、乾燥用風路７０と、乾燥用ファン７１と、ヒーター７２とを有している。乾燥用風路７０はベース４０に設けられている。乾燥用風路７０は、前後方向に延びており、ノズル収納部６０と左右方向に並んでいる。
【００４４】
乾燥用風路７０の前端部は、前方に近い部分程下方に位置するように傾斜している。乾燥用風路７０の前端部には、吹出口７３が設けられている。
【００４５】
吹出口７３は、ボウル２０上部の後端部に形成された乾燥用孔２４（図４参照）を介してボウル２０内に臨んでいる。
【００４６】
乾燥用風路７０の後端部には、乾燥用風路７０を通して吹出口７３からボウル２０内に風を吹き出す乾燥用ファン７１が設けられている。本実施形態の乾燥用ファン７１は、排水時においてトラップ筒３１からボウル２０内に臭気が逆流することを抑制する送風装置９を兼ねている。
【００４７】
乾燥用風路７０には乾燥用ファン７１から吹出口７３に送られる空気を加熱するヒーター７２が設けられている。
【００４８】
図６に示すように、本実施形態の吹出口７３は、第１吹出口７３１と、第２吹出口７３２とを有している。第１吹出口７３１は乾燥用風路７０の前端面に形成されており、前方に向かって開口している。第１吹出口７３１はボウル２０（図４参照）の上端部の内側（ボウル２０の上開口部）に臨む。
【００４９】
第２吹出口７３２は乾燥用風路７０の底部に形成されており、下方に向かって開口している。第１吹出口７３１はボウル２０（図４参照）の底部に臨んでいる。第２吹出口７３２は第１吹出口７３１に連続しており、第１吹出口７３１と第２吹出口７３２とで、連続した一つの吹出口７３が形成されている。
【００５０】
本実施形態の便器は、風向変更機構９０をさらに具備している。風向変更機構９０は、乾燥用ファン７１により発生した風の向きを、ボウル２０の上端部の内側に向かう方向と、ボウル２０の底部に向かう方向とに切り替える。
【００５１】
本実施形態の風向変更機構９０は、第１吹出口７３１を覆う開閉可能なカバー９１と、カバー９１を開閉する開閉機構９２（図５参照）とを有している。
【００５２】
カバー９１は、第１吹出口７３１の上端部に左右軸回り方向に回転可能に連結されている。カバー９１は板状に形成されている。カバー９１が図６に示すように第１吹出口７３１を覆う閉じた状態にあるとき、カバー９１の厚み方向は前後方向と平行になる。
【００５３】
カバー９１が閉じた状態にあるとき、カバー９１は第１吹出口７３１の上端部から下方に向かって突出する。このとき、第２吹出口７３２はカバー９１によって覆われない。また、カバー９１が図７に示すように開いた状態にあるとき、カバー９１は第１吹出口７３１の上端部から前方に向かって突出し、第１吹出口７３１は開放される。
【００５４】
カバー９１を開閉する開閉機構９２は、図５に示すモーター９３を有している。モーター９３はカバー９１に連結され、かつベース４０に対して固定される。モーター９３が駆動されることで、カバー９１は回転して開閉される。
【００５５】
乾燥装置７による乾燥が行われないとき、乾燥用ファン７１及びヒーター７２は停止され、カバー９１は図６に示すように閉じられる。
【００５６】
利用者により図３に示す操作部１４が操作されて局部乾燥指令がなされたとき、制御部１５は乾燥用ファン７１及びヒーター７２を駆動する。また、このとき、制御部１５は、モーター９３を駆動して図７に示すようにカバー９１を開く。これにより、乾燥用ファン７１によって発生した風は、ヒーター７２で加熱された後、第１吹出口７３１から前方のボウル２０の上端部の内側に吹き出され、この風により便座１０に着座した利用者の局部が乾燥する。
【００５７】
利用者により図３に示す操作部１４が操作されて、局部乾燥停止指令がなされたとき、制御部１５は乾燥用ファン７１及びヒーター７２の駆動を停止し、また、モーター９３を駆動して図６に示すようにカバー９１を閉じる。
【００５８】
また、利用者により前述したボウル洗浄指令がなされた際、制御部１５はカバー９１を閉じた状態のまま、乾燥用ファン７１を駆動する。この乾燥用ファン７１の駆動は、例えば、ボウル洗浄指令がなされた時点で開始される。また、この乾燥用ファン７１の駆動は、例えばトラップ筒３１（図２参照）の形状が排水形状から溜水形状に切り替えられた後に停止される。
【００５９】
このようにカバー９１が閉じられた状態で乾燥用ファン７１が駆動されることで、乾燥用ファン７１で発生した風は、第１吹出口７３１を覆うカバー９１に向かって供給される。この風は、カバー９１の後面に沿って流下して第２吹出口７３２から下方に吹き出され、ボウル２０の底部に上側から供給される。この風は、図２に示すボウル２０の底部内の空気を上側から押さえる。このため、トラップ筒３１の形状が排水形状となってトラップ筒３１内の封水の機能が一時的に失われる破封が生じたとしても、第２吹出口７３２から吹き出された風により、トラップ筒３１からボウル２０内に臭気が逆流することが抑制される。
【００６０】
（脱臭装置）
図５に示す機能ユニット４が備える脱臭装置８は、ボウル２０（図４参照）内を脱臭する。脱臭装置８はベース４０に設置されている。
【００６１】
本実施形態の脱臭装置８は、脱臭用風路８０と、脱臭用ファン８１と、フィルター８２と、脱臭部８３とを有している。脱臭用風路８０は、ベース４０に設けられている。脱臭用風路８０は前後方向に延びており、乾燥用風路７０と左右方向に並んでいる。
【００６２】
脱臭用風路８０の前端部には、図４及び図８に示す吸込口８４が設けられている。本実施形態の吸込口８４は、ボウル２０において脱臭用風路８０（図５参照）に隣接する部分に形成されている。吸込口８４は、上下方向に貫通した孔である。吸込口８４はボウル２０上部の後端部に位置している。吸込口８４は下方に向かって開口しボウル２０の底部に臨んでいる。
【００６３】
図５に示すように、脱臭用風路８０の後端部には、脱臭用ファン８１が設けられている。脱臭用ファン８１はボウル２０内の空気を吸込口８４（図４参照）から脱臭用風路８０に吸い込み、この空気を脱臭用風路８０の外部に排出する。
【００６４】
脱臭用風路８０において脱臭用ファン８１よりも上流側には、吸込口８４から吸い込まれた空気に含まれる塵や埃等を捕捉するフィルター８２が設けられている。
【００６５】
脱臭用風路８０においてフィルター８２よりも下流側でかつ脱臭用ファン８１よりも上流側には、脱臭部８３が設けられている。本実施形態の脱臭部８３は、脱臭用ファン８１によって吸込口８４から脱臭用風路８０に吸い込まれた空気の脱臭を行う脱臭剤を有している。
【００６６】
利用者によって図３に示す操作部１４が操作されて脱臭指令がなされたとき、制御部１５は脱臭用ファン８１を駆動する。これにより、ボウル２０内の空気は、図４に示す吸込口８４から図５に示す脱臭用風路８０に吸い込まれる。この空気は、フィルター８２によって塵や埃等が除去された後、脱臭部８３によって脱臭され、この後、脱臭用風路８０の外部に排出される。これにより、ボウル２０内の空気は脱臭される。
【００６７】
前記脱臭指令の後、利用者によって図３に示す操作部１４が操作されて脱臭停止指令がなされたとき、制御部１５は脱臭用ファン８１の駆動を停止する。
【００６８】
また、利用者によって前述したボウル洗浄指令がなされたとき、制御部１５は、脱臭用ファン８１を駆動し、所定時間後にこの脱臭用ファン８１の駆動を停止する。この脱臭用ファン８１の駆動の開始は、例えばボウル洗浄指令がなされた時点で開始される。また、この脱臭用ファン８１の駆動は、例えば図２に示すトラップ筒３１の形状が排水形状から溜水形状に切り替えられた後に停止される。
【００６９】
このようにボウル洗浄指令時に脱臭用ファン８１が駆動されることで、脱臭指令がなされたときと同様にボウル２０内の空気が脱臭用風路８０（図５参照）に吸い込まれて脱臭される。このため、図２に示すトラップ筒３１が排水形状となったときに、トラップ筒３１の下流側の臭気がボウル２０内に逆流したとしても、この臭気を含む空気は、脱臭装置８の脱臭部８３によって脱臭される。なお、脱臭用ファン８１は局部乾燥指令がなされたときに駆動しなくてもよい。
【００７０】
（第２実施形態）
次に図９〜図１１に基づき第２実施形態について説明する。以下の第２実施形態の説明では、第１実施形態と共通する構成については同一の符号を付して説明を省略する。
【００７１】
本実施形態のカバー９１は、図９に示すように、ノズル収納部６０と乾燥用風路７０との両者に跨るように左右方向に延びている。カバー９１は、ノズル収納部６０の前端部に左右軸回り方向に回転可能に連結されている。
【００７２】
カバー９１は、図１０に示すように閉じられた状態において、ノズル収納部６０の前端部の上端部から下方に向かって突出する。このため、カバー９１が閉じられた状態では、ノズル収納部６０の前端開口部６５と乾燥用風路７０の第１吹出口７３１とがカバー９１によって覆われる。
【００７３】
カバー９１が図９及び図１１に示すように開いた状態にあるとき、カバー９１はノズル収納部６０の前端部の上端部から前方（詳しくは前斜め下方）に向かって突出する。このため、カバー９１が開いた状態では、ノズル収納部６０の前端開口部６５と乾燥用風路７０の第１吹出口７３１とが、前方に開放される。
【００７４】
本実施形態のカバー９１を開閉する開閉機構９２は、局部洗浄ノズル６１と、ノズル駆動部６２と、カバー９１を閉じた状態で保持する保持部材（図示せず）とで構成されている。保持部材は、例えばカバー９１を閉じる方向に付勢するばねなどの弾性体によって構成される。
【００７５】
局部洗浄装置６による局部洗浄、及び乾燥装置７による局部乾燥が行われないとき、カバー９１は図１０に示すように閉じられる。
【００７６】
本実施形態の便器においてボウル洗浄指令がなされたとき、乾燥用ファン７１（図９参照）から第１吹出口７３１に送られた風は、保持部材によって閉じられた状態で保持されたカバー９１の後面に沿って流下し、第２吹出口７３２から下方に吹き出される。
【００７７】
本実施形態において局部乾燥指令がなされたとき、制御部１５（図３参照）は、収納位置に配置された局部洗浄ノズル６１をノズル駆動部６２によって前方に駆動する。これにより、局部洗浄ノズル６１は図１１に示すようにノズル収納部６０から前方に突出し、この局部洗浄ノズル６１の前端部によってカバー９１が前方に押されてカバー９１が開いた状態になる。この後、制御部１５は、図９に示す乾燥用ファン７１及びヒーター７２を駆動し、これにより第１吹出口７３１から前方に局部を乾燥するための温風が吹き出される。
【００７８】
また、局部乾燥停止指令がなされたとき、制御部１５は乾燥用ファン７１及びヒーター７２の駆動を停止し、この後、ノズル駆動部６２から突出した位置に配置された局部洗浄ノズル６１をノズル駆動部６２によって収納位置まで駆動する。このように局部洗浄ノズル６１が収納位置まで移動することで、局部洗浄ノズル６１によるカバー９１の前方への押圧力が解除され、カバー９１は保持部材に付勢されて図１０に示すように閉じる。
【００７９】
また、本実施形態において局部洗浄指令がなされたとき、カバー９１はノズル駆動部６２によって収納位置から洗浄位置まで移動する局部洗浄ノズル６１の前端部によって前方に押されて開いた状態になる。局部洗浄ノズル６１からの水の吐出は、このようにカバー９１が開いた状態で行われる。この後、局部洗浄停止指令がなされて、ノズル駆動部６２によって局部洗浄ノズル６１が洗浄位置から収納位置まで移動すると、カバー９１は保持部材により付勢されて閉じる。
【００８０】
（第３実施形態）
次に図１２〜図１４に基づき第３実施形態について説明する。以下の第３実施形態の説明では、第１実施形態と共通する構成については同一の符号を付して説明を省略する。
【００８１】
図１２に示す本実施形態の乾燥装置７の吹出口７３は、乾燥用風路７０に対して移動可能に設けられている。吹出口７３は筒状に形成されており、乾燥用風路７０の前端部に対して左右軸回り方向に回転可能に連結されている。
【００８２】
本実施形態の風向変更機構９０は、吹出口７３を乾燥用風路７０に対して回転して、吹出口７３の向きを変更する吹出口駆動部９４を備えている。
【００８３】
本実施形態の吹出口駆動部９４は、吹出口７３に連結されたモーター９５を有している。図示は省略するが、モーター９５はベース４０（図５参照）に対して固定されている。モーター９５が駆動されると、吹出口７３は乾燥用風路７０に対して左右軸回り方向に回転し、これにより、吹出口７３の姿勢が、図１２及び図１３に示す局部乾燥姿勢と、図１４に示す送風姿勢とに切り替わり、吹出口７３の向きが変更される。
【００８４】
吹出口７３の姿勢が図１２及び図１３に示す局部乾燥姿勢であるとき、吹出口７３は前方に向かって開口してボウル２０（図４参照）の上端部の内側に臨む。また、吹出口７３の姿勢が、図１４に示す送風姿勢であるとき、吹出口７３は下方に向かって開口してボウル２０の底部に臨む。
【００８５】
本実施形態の便器において局部乾燥指令がなされたとき、制御部１５（図３参照）は、乾燥用ファン７１及びヒーター７２を駆動する。また、このとき制御部１５は、モーター９５（図１２参照）を駆動して吹出口７３を図１３に示す局部乾燥姿勢に切り替える。これにより、乾燥用ファン７１によって発生した風は、ヒーター７２で加熱された後、吹出口７３から前方のボウル２０の上端部の内側に向かって吹き出される。
【００８６】
また、本実施形態の便器においてボウル洗浄指令がなされたとき、制御部１５（図３参照）は、乾燥用ファン７１を駆動する。また、このとき制御部１５は、モーター９５（図１２参照）を駆動して吹出口７３を図１４に示す送風姿勢に切り替える。これにより、乾燥用ファン７１によって発生した風は、吹出口７３から下方のボウル２０の底部に向かって吹き出される。
【００８７】
（第４実施形態）
次に図１５〜図１７に基づき第４実施形態について説明する。以下の第４実施形態の説明では、第１実施形態と共通する構成については同一の符号を付して説明を省略する。
【００８８】
図１５に示す本実施形態の脱臭装置８は、脱臭用風路８０の一部が乾燥用風路７０側に屈曲して乾燥用風路７０の一部に隣接しており、この隣接する脱臭用風路８０の一部と乾燥用風路７０の一部とが接続されて通じている。すなわち、脱臭用風路８０と脱臭用風路８０とは、脱臭用風路８０の一部と乾燥用風路７０の一部とで構成された接続部分９６を介して接続されて通じている。
【００８９】
本実施形態の乾燥用風路７０の吹出口７３は、前方にのみ開口してボウル２０（図４参照）の上端部の内側に臨んでいる。吹出口７３を覆うカバー９１は、例えばモーター（図示せず）により、局部乾燥指令がされたときにのみ開くように制御される。また、吸込口８４は脱臭用風路８０の前端部に形成されており、下方に向かって開口してボウル２０（図４参照）の底部に臨んでいる。
【００９０】
図１６に示すように、接続部分９６は、乾燥用風路７０において乾燥用ファン７１及びヒーター７２よりも下流流側に位置している。また、接続部分９６は、脱臭用風路８０において脱臭用ファン８１及び脱臭部８３よりも上流側に位置している。
【００９１】
本実施形態の風向変更機構９０は、乾燥用ファン７１から、接続部分９６に送られた風が流れる方向を、吹出口７３に向かう方向と、脱臭用風路８０を介して吸込口８４に向かう方向とに切り替える。
【００９２】
具体的に風向変更機構９０は、接続部分９６に設けられた風向切替部材９７を有している。風向切替部材９７は筒状に形成されている。筒状の風向切替部材９７の軸方向の一端部には、第１開口部９７１が形成されている。風向切替部材９７の第１開口部９７１とは反対側の端部には第２開口部９７２が形成されている。
【００９３】
風向切替部材９７は上下軸回り方向に回転可能に設けられている。ここで、上下軸回り方向とは、上下方向と平行な回転軸を中心に回転する方向をいう。
【００９４】
風向切替部材９７は、図示しない切替部材駆動部が有するモーターに連結されている。このモーターが駆動されると、風向切替部材９７は上下軸回り方向に回転し、これにより。風向切替部材９７の姿勢が、図１６に示す乾燥姿勢と、図１７に示す送風姿勢とに切り替わる。
【００９５】
風向切替部材９７の姿勢が、図１６に示す乾燥姿勢であるとき、風向切替部材９７の第１開口部９７１は乾燥用ファン７１に通じ、風向切替部材９７の第２開口部９７２は吹出口７３に通じる。
【００９６】
風向切替部材９７の姿勢が、図１７に示す送風姿勢であるとき、風向切替部材９７の第１開口部９７１は乾燥用ファン７１に通じ、風向切替部材９７の第２開口部９７２は、脱臭用風路８０における接続部分９６よりも上流側の部分を介して吸込口８４に通じる。
【００９７】
本実施形態の便器において局部乾燥指令がなされたとき、制御部１５（図３参照）は、乾燥用ファン７１及びヒーター７２を駆動する。また、このとき、制御部１５は、前述した切替部材駆動部のモーターを駆動して、風向切替部材９７の姿勢を図１６に示す乾燥姿勢に切り替える。これにより、乾燥用ファン７１によって発生した風は、ヒーター７２で加熱された後、風向切替部材９７を通過して吹出口７３から前方のボウル２０の上端部の内側に向かって吹き出される。
【００９８】
本実施形態の便器において脱臭指令がなされたとき、制御部１５は、脱臭用ファン８１を駆動する。また、このとき、制御部１５は、切替部材駆動部のモーターを駆動して、風向切替部材９７の姿勢を図１６に示す乾燥姿勢に切り替える。これにより、ボウル２０内の空気は、吸込口８４から脱臭用風路８０に吸い込まれる。
【００９９】
本実施形態の便器においてボウル洗浄指令がなされたとき、制御部１５は、乾燥用ファン７１を駆動する。また、このとき、制御部１５は、切替部材駆動部のモーターを駆動して、風向切替部材９７の姿勢を図１７に示す送風姿勢に切り替える。これにより、乾燥用ファン７１によって発生した風は、風向切替部材９７を通過して、吸込口８４から下方のボウル２０の底部に向かって吹き出される。
【０１００】
（第５実施形態）
次に図１８に基づき第５実施形態の便器について説明する。なお、以下の第５実施形態の説明では、第１実施形態と共通する構成については同一の符号を付して説明を省略する。
【０１０１】
本実施形態の便器の送風装置９は、脱臭装置８の脱臭用ファン８１で構成されている。脱臭用ファン８１は、正逆両方向に回転駆動可能なファンであり、ボウル２０内の空気を吸込口８４（図４参照）から吸い込む脱臭時とは逆方向に回転することで、脱臭用ファン８１から吸込口８４に向かって流れる風を発生させる。また、本実施形態の脱臭用ファン８１は、回転速度を制御可能なファンである。
【０１０２】
本実施形態の便器においてボウル洗浄指令がなされた際、制御部１５（図３参照）は、脱臭用ファン８１を脱臭時とは逆方向に回転駆動する。また、このとき制御部１５は、脱臭用ファン８１の回転速度を脱臭時よりも大きくし、脱臭用ファン８１で発生する風の風量を脱臭時よりも大きくする。なお、このとき脱臭用ファン８１の駆動の開始と停止は、例えば第１実施形態においてボウル洗浄指令がなされた際における乾燥用ファン７１の駆動の開始及び停止と同じタイミングでそれぞれ行われる。
【０１０３】
このようにボウル洗浄指令がなされたときに、脱臭用ファン８１を脱臭時とは逆方向に回転駆動することで、脱臭用ファン８１から吸込口８４に供給された風は、吸込口８４から下方に吹き出される。この風は図２に示すボウル２０の底部に対して上側から供給され、ボウル２０の底部内の空気を上側から押さえる。このため、トラップ筒３１の形状が排水形状となってトラップ筒３１内の封水の機能が一時的に失われる破封が生じたとしても、吸込口８４から吹き出された風により、トラップ筒３１の下流側の臭気がボウル２０内に逆流することが抑制される。
【０１０４】
また、本実施形態ではボウル洗浄指令時における脱臭用ファン８１の風量が、脱臭時における脱臭用ファン８１の風量よりも大きくなる。このため、ボウル洗浄指令時において脱臭用ファン８１で発生した風が、脱臭用風路８０の脱臭部８３とフィルター８２とを通過しても、吸込口８４から吹き出される風の風量が、トラップ筒３１からの臭気の逆流を抑制できる充分な風量となる。
【０１０５】
（第６実施形態）
次に図１９に基づき第６実施形態について説明する。以下の第６実施形態の説明では、第１実施形態と共通する構成については同一の符号を付して説明を省略する。
【０１０６】
本実施形態の便器は、乾燥装置７（図５参照）に替えて、送風ユニット１６を具備している。
【０１０７】
送風ユニット１６は、送風用風路１６０と、送風装置９とを有している。送風用風路１６０はベース４０に設けられている。送風用風路１６０は前後方向に延びており、ノズル収納部６０と脱臭用風路８０との間に位置している。送風用風路１６０の前端部には、下方に向かって開口し、ボウル２０（図４参照）の底部に臨んだ吹出口１６１が形成されている。
【０１０８】
送風用風路１６０の後端部には、送風用風路１６０を通して吹出口１６１からボウル２０の底部に向かって風を吐出する送風装置９が設けられている。本実施形態の送風装置９は、ファンである。
【０１０９】
本実施形態の便器においてボウル洗浄指令がなされた際、制御部１５（図３参照）は送風装置９を駆動する。この送風装置９の駆動は、例えば第１実施形態においてボウル洗浄指令がなされた際における乾燥用ファン７１の駆動の開始及び停止とそれぞれ同じタイミングで行われる。
【０１１０】
このようにボウル洗浄指令時に送風装置９が駆動されることで、送風装置９で発生した風は、吹出口１６１から図２に示すボウル２０の底部に向かって吹き出される。この風はボウル２０の底部に対して上側から供給され、ボウル２０の底部内の空気を上側から押さえる。このため、トラップ筒３１の形状が排水形状となってトラップ筒３１内の封水の機能が一時的に失われる破封が生じたとしても、吹出口１６１から吹き出された風により、トラップ筒３１の下流側の臭気がボウル２０内に逆流することが抑制される。
【０１１１】
（第７実施形態）
次に図２０に基づき第７実施形態について説明する。以下の第７実施形態の説明では、第１実施形態と共通する構成については同一の符号を付して説明を省略する。
【０１１２】
本実施形態の便器は、脱臭装置８（図５参照）に替えて、送風ユニット１６を具備している。
【０１１３】
送風ユニット１６は、送風用風路１６０と、送風装置９とを有している。送風用風路１６０はベース４０に設けられている。送風用風路１６０は前後方向に延びている。送風用風路１６０は、乾燥用風路７０と左右方向に並んでいる。
【０１１４】
送風用風路１６０の前端部には、下方に向かって開口し、ボウル２０（図４参照）の底部に臨んだ吹出口１６１が形成されている。
【０１１５】
送風用風路１６０の後端部には、送風用風路１６０を通して吹出口１６１からボウル２０の底部に向かって風を吐出する送風装置９が設けられている。本実施形態の送風装置９は、ファンである。
【０１１６】
本実施形態の便器においてボウル洗浄指令がなされた際、制御部１５（図３参照）は送風装置９を駆動する。この送風装置９の駆動は、例えば第１実施形態においてボウル洗浄指令がなされた際における乾燥用ファン７１の駆動の開始及び停止とそれぞれ同じタイミングで行われる。
【０１１７】
このようにボウル洗浄指令時に送風装置９が駆動されることで、送風装置９で発生した風は、吹出口１６１から図２に示すボウル２０の底部に向かって吹き出される。この風はボウル２０の底部に対して上側から供給され、ボウル２０の底部内の空気を上側から押さえる。このため、トラップ筒３１の形状が排水形状となってトラップ筒３１内の封水の機能が一時的に失われる破封が生じたとしても、吹出口１６１から吹き出された風により、トラップ筒３１の下流側の臭気がボウル２０内に逆流することが抑制される。
【０１１８】
（補足）
なお、前述した各実施形態における排水トラップは、変形可能なトラップ筒３１に限定されず、例えばボウル２０の排水口２１に連続して形成された変形不能なトラップ筒であってもよい。
【０１１９】
また、前述した各実施形態の送風装置９は、ファンの他、ブロワーやコンプレッサーなどで構成されてもよい。
【０１２０】
また、前述した各実施形態の脱臭装置８のフィルター８２は省略可能である。また、脱臭部８３は脱臭剤によって脱臭を行わず、フィルターや静電霧化装置によって脱臭を行ってもよい。
【０１２１】
また、第１〜第４実施形態においてボウル２０洗浄時における乾燥用ファン７１の駆動時には、ヒーター７２は駆動されてもよいし、駆動されなくてもよい。
【０１２２】
また、第１実施形態では乾燥用ファン７１で発生した風が、第２吹出口７３２に後方から供給されるため、第２吹出口７３２から吹き出される風の吹出方向は前向き成分を含んだ斜め下方である。しかし、第２吹出口７３２から吹き出される風の吹出方向は前斜め下方に制限されない。例えば、第２吹出口７３２から吹き出される風の吹出方向は、左右方向の成分を含んだ斜め下方であってもよいし、鉛直方向と平行な下方であってもよい。
【０１２３】
また、第１〜第４実施形態において乾燥用ファン７１が送風装置９として利用されるとき、乾燥用ファン７１の駆動の開始のタイミング、及び乾燥用ファン７１の駆動の停止のタイミングは、第１実施形態で示した時に制限されない。例えば乾燥用ファン７１の駆動の開始は、切替機構３３がトラップ筒３１の形状を溜水形状から排水形状に切り替えるにあたってモーターによりアーム３５の駆動が開始された時点などで行われてもよい。また、例えば乾燥用ファン７１の駆動の停止は、切替機構３３によりトラップ筒３１の形状が排水形状から溜水形状に切り替えられた時点などで行われてもよい。すなわち、乾燥用ファン７１は、少なくともトラップ筒３１の形状が排水形状となる排水時に駆動されればよい。
【０１２４】
同様に第５実施形態において脱臭用ファン８１が送風装置９として利用されるとき、脱臭用ファン８１の駆動を開始するタイミング、及び脱臭用ファン８１の駆動を停止するタイミングは、第５実施形態で示した時に制限されない。
【０１２５】
同様に第６実施形態及び第７実施形態において、送風装置９の駆動を開始するタイミング、及び送風装置９の駆動を停止するタイミングは、第６実施形態及び第７実施形態で示した時に制限されない。
【０１２６】
また、第１実施形態の第１吹出口７３１と第２吹出口７３２とは連続して形成されているが、第１吹出口７３１と第２吹出口７３２は、各々独立して形成されてもよい。
【０１２７】
また、第５実施形態において、脱臭用ファン８１の吸込口８４から風を吹き出す送風時における風量は、脱臭時における風量と同じであってもよいし、脱臭時における風量よりも小さくてもよい。
【０１２８】
また、この他、前述した各実施形態の便器は、適宜設計変更可能である。
【０１２９】
（効果）
以上説明した第１〜第７実施形態の便器は、以下に示す特徴を有している。便器は、ボウル２０と、排水トラップ（トラップ筒３１）と、送風装置９とを具備する。排水トラップはボウル２０の底部に通じる。送風装置９は、ボウル２０内の水が排水トラップを介して排出される排水時において、ボウル２０の底部に対して上側から風を送る。以下、この特徴を有する便器を第１の態様の便器という。
【０１３０】
第１の態様の便器は、ボウル２０内の水が排水トラップを介して排出される排水時において、送風装置９から送られた風により、ボウル２０の底部に存在する空気が上側から押さえられる。このため、排水時においてボウル２０内に臭気が逆流することが抑制される。
【０１３１】
また、第１〜第４実施形態の便器は、第１の態様の便器の特徴に加えて、以下に示す付加的な特徴を有する。排水トラップは、ボウル２０の底部に形成された排水口２１に接続されるトラップ筒３１で構成される。便器は、トラップ筒３１の形状をボウル２０内に水が溜まる溜水形状とボウル２０内の水が排出される排水形状とに切り替える切替機構をさらに具備する。切替機構によりトラップ筒３１の形状が排水形状に切り替えられてボウル２０内の水が排出される。以下、この特徴を有する便器を、第２の態様の便器という。
【０１３２】
第２の態様の便器は、トラップ筒３１の形状が排水形状に切り替えられてボウル２０内の水が排出される排水時において、ボウル２０内に臭気が逆流することを抑制できる。
【０１３３】
また、第１〜第４実施形態の便器は、第１又は第２の態様の便器の特徴に加えて、以下に示す付加的な特徴を有する。便器は、局部洗浄装置６と、乾燥装置７と、風向変更機構９０とを具備する。局部洗浄装置６は、便座１０に着座した利用者の局部を洗浄する。乾燥装置７は前記局部を乾燥する。乾燥装置７は、乾燥用ファン７１を備える。風向変更機構９０は、乾燥用ファン７１により発生した風の向きを、ボウル２０の上端部の内側に向かう方向と、ボウル２０の底部に向かう方向とに切り替える。以下、この特徴を有する便器を、第３の態様の便器という。
【０１３４】
第３の態様の便器は、風向変更機構９０により、乾燥用ファン７１で発生した風の向きをボウル２０の上端部の内側に向かう方向に切り替えることで、この風により、便座１０に着座した利用者の局部を乾燥できる。また、風向変更機構９０により、乾燥用ファン７１で発生した風の向きをボウル２０の底部に向かう方向に切り替えることで、この風によりボウル２０の底部に存在する空気を上側から押さえることができる。すなわち、局部乾燥に用いられる乾燥用ファン７１を、排水時においてボウル２０内に臭気が逆流すること抑制する送風装置９として利用できる。
【０１３５】
また、第１実施形態の便器は、第３の態様の便器の特徴に加えて、以下に示す付加的な特徴を有する。乾燥装置７に、第１吹出口７３１と、第２吹出口７３２とが設けられる。第１吹出口７３１は、ボウル２０の上端部の内側に向かって開口する。第２吹出口７３２は、ボウル２０の底部に向かって開口する。風向変更機構９０は、カバー９１と、開閉機構９２とを有する。カバー９１は、第１吹出口７３１を覆い、開閉可能である。開閉機構９２はカバー９１を開閉する。便器は、カバー９１が開いた状態において、乾燥用ファン７１で発生した風が第１吹出口７３１からボウル２０の上端部の内側に向かって吹き出されるように構成される。便器は、カバー９１が閉じた状態において、乾燥用ファン７１で発生した風が、カバー９１により誘導されて第２吹出口７３２からボウル２０の底部に向けて吹き出されるように構成される。以下、この特徴を有する便器を、第４の態様の便器という。
【０１３６】
第４の態様の便器は、第１吹出口７３１を覆うカバー９１を用いて、乾燥用ファン７１により発生した風の向きを、ボウル２０の上端部の内側に向かう方向と、ボウル２０の底部に向かう方向とに切り替えることができる。
【０１３７】
また、第２実施形態の便器は、第４の態様の便器の特徴に加えて、以下に示す付加的な特徴を有する。局部洗浄装置６は、ノズル収納部６０と、局部洗浄ノズル６１と、ノズル駆動部６２とを備える。局部洗浄ノズル６１は、ノズル収納部６０に出入可能に収納される。ノズル駆動部６２は、局部洗浄ノズル６１を、ノズル収納部６０に収納された収納位置から、ノズル収納部６０から突出して局部に向かって水を吐出する洗浄位置まで駆動する。便器は、ノズル駆動部６２によって駆動される局部洗浄ノズル６１により、カバー９１が開くように構成される。以下、この特徴を有する便器を、第５の態様の便器という。
【０１３８】
第５の態様の便器は、ノズル駆動部６２によって駆動される局部洗浄ノズル６１を利用して、カバー９１を開くことができる。
【０１３９】
また、第３実施形態の便器は、第３の態様の便器の特徴に加えて、以下に示す付加的な特徴を有する。乾燥装置７に、乾燥用ファン７１により発生した風を吹き出す吹出口７３が設けられる。風向変更機構９０は、吹出口７３を駆動して、乾燥用ファン７１により発生した風の吹出方向を、ボウル２０の上端部の内側に向かう方向と、ボウル２０の底部に向かう方向とに切り替える吹出口駆動部９４を有する。以下、この特徴を有する便器を、第６の態様の便器という。
【０１４０】
第６の態様の便器は、吹出口駆動部９４により吹出口７３を駆動することで、乾燥用ファン７１により発生した風の吹出方向を、ボウル２０の上端部の内側に向かう方向と、ボウル２０の底部に向かう方向とに切り替えることができる。
【０１４１】
また、第４実施形態の便器は、第３の態様の便器の特徴に加えて、以下に示す付加的な特徴を有する。便器は、ボウル２０内を脱臭する脱臭装置８を具備する。脱臭装置８は、脱臭用風路８０と、脱臭用ファン８１と、脱臭部８３とを備える。脱臭用風路８０には、ボウル２０の底部に向かって開口した吸込口８４が設けられる。脱臭用ファン８１は、ボウル２０内の空気を吸込口８４から脱臭用風路８０を介して吸い込む。脱臭部８３は、脱臭用ファン８１によって吸込口８４から吸い込まれた空気の脱臭を行う。乾燥装置７は、吹出口７３が設けられ、乾燥用ファン７１により発生した風を吹出口７３に導いて吹出口７３からボウル２０の上端部の内側に向かって吹き出す乾燥用風路７０を備える。脱臭用風路８０の一部と乾燥用風路７０の一部とが接続される。風向変更機構９０は、乾燥用ファン７１から、脱臭用風路８０と乾燥用風路７０との接続部分９６に送られた風が流れる方向を、吹出口７３に向かう方向と、脱臭用風路８０を介して吸込口８４に向かう方向とに切り替える。以下、この特徴を有する便器を、第７の態様の便器という。
【０１４２】
第７の態様の便器は、風向変更機構９０により、乾燥用ファン７１から接続部分９６に送られた風が流れる方向を、吹出口７３に向かう方向と、脱臭用風路８０を介して吸込口８４に向かう方向とに切り替えることができる。そして、この風向変更機構９０を利用して、乾燥用ファン７１により発生した風の向きを、ボウル２０の上端部の内側に向かう方向と、ボウル２０の底部に向かう方向とに切り替えることができる。
【０１４３】
また、第５実施形態の便器は、第１又は第２の態様の便器の特徴に加えて、以下に示す付加的な特徴を有する。便器は、ボウル２０内を脱臭する脱臭装置８を具備する。脱臭装置８は、脱臭用ファン８１と、脱臭部８３とを備える。脱臭用ファン８１は、ボウル２０内の空気を吸い込む。脱臭部８３は、ボウル２０内から吸い込まれた空気の脱臭を行う。便器は、脱臭用ファン８１がボウル２０内の空気を吸い込むときとは逆方向に回転することで、ボウル２０の底部に向かって空気が吹き出されるように構成される。以下、この特徴を有する便器を第８の態様の便器という。
【０１４４】
第８の態様の便器は、脱臭用ファン８１がボウル２０内の空気を吸い込むときとは逆方向に回転することで、ボウル２０の底部に向かって空気が吹き出され、この風によりボウル２０の底部に存在する空気を上側から押さえることができる。すなわち、ボウル２０の脱臭に用いられる脱臭用ファン８１を、排水時においてボウル２０内に臭気が逆流すること抑制する送風装置９として利用できる。
【０１４５】
また、第５実施形態の便器は、第８の態様の便器の特徴に加えて、以下に示す付加的な特徴を有する。脱臭用ファン８１は、ボウル２０内の空気を吸い込むときとは逆方向に回転するときにおける風量が、ボウル２０内の空気を吸い込むときにおける風量よりも大きくなるように制御される。以下、この特徴を有する便器を第９の態様の便器という。
【０１４６】
第９の態様の便器は、トラップ筒３１の形状が排水形状に切り替えられる排水時において、脱臭用ファン８１からボウル２０の底部に送られる風の風量を大きくして、トラップ筒３１からの臭気の逆流を一層抑制できる。
【符号の説明】
【０１４７】
１  便器本体
１０  便座
２０  ボウル
２１  排水口
３１  トラップ筒（排水トラップ）
３３  切替機構
６  局部洗浄装置
６０  ノズル収納部
６１  局部洗浄ノズル
６２  ノズル駆動部
７  乾燥装置
７０  乾燥用風路
７１  乾燥用ファン
７３  吹出口
７３１  第１吹出口
７３２  第２吹出口
８  脱臭装置
８０  脱臭用風路
８１  脱臭用ファン
８３  脱臭部
８４  吸込口
９  送風装置
９０  風向変更機構
９１  カバー
９２  開閉機構
９４  吹出口駆動部
９６  接続部分
【図１】
2018016955.tif 000003
【図２】
2018016955.tif 000004
【図３】
2018016955.tif 000005
【図４】
2018016955.tif 000006
【図５】
2018016955.tif 000007
【図６】
2018016955.tif 000008
【図７】
2018016955.tif 000009
【図８】
2018016955.tif 000010
【図９】
2018016955.tif 000011
【図１０】
2018016955.tif 000012
【図１１】
2018016955.tif 000013
【図１２】
2018016955.tif 000014
【図１３】
2018016955.tif 000015
【図１４】
2018016955.tif 000016
【図１５】
2018016955.tif 000017
【図１６】
2018016955.tif 000018
【図１７】
2018016955.tif 000019
【図１８】
2018016955.tif 000020
【図１９】
2018016955.tif 000021
【図２０】
2018016955.tif 000022